(57)【要約】【課題】金属製のケースで覆われた状態のままで磁気ディスク上のデータを消去し得る強い磁場の吸引力に抗して磁気ディスク装置の挿入／排出を可能にする。【解決手段】ハンドル７４の回転をＨＤＤホルダ７６の並進運動に変換する、ボールネジ８２およびボールネジナットブラケット８６による変換機構を設け、これにより、ハンドル７４を回すことでＨＤＤホルダ７６に搭載されたハードディスク装置を永久磁石により発生された磁場による吸収力に抗して挿入および排出方向へ移動させる。モータにより回転力を発生するようにしても良い。【選択図】      図８
2005063501.tif 000002
【特許請求の範囲】
【請求項１】
磁気ディスク装置内の磁気ディスクに記録されたデータを消去するデータ消去装置であって、
磁気ディスク装置全体を収容し得る空間を有し、該空間内に収容された磁気ディスク装置内の磁気ディスクに永久磁石による磁界を印加する磁場発生手段と、
該磁場発生手段の空間内で磁気ディスク装置を磁界による吸引力に抗して挿入方向および排出方向に移動させる移動機構とを具備するデータ消去装置。
【請求項２】
前記移動機構は、回転運動を並進運動に変換することによって吸引力に抗した移動を可能にする変換機構を含む請求項１記載のデータ消去装置。
【請求項３】
前記移動機構は前記変換機構に回転力を与えるための回動可能なハンドルを含む請求項２記載のデータ消去装置。
【請求項４】
前記移動機構は前記変換機構に回転力を与えるモータを含む請求項２記載のデータ消去装置。
【発明の詳細な説明】
【０００１】
【発明の属する技術分野】
本発明は、磁気ディスク装置を廃棄または再利用する際のデータ漏洩防止などのために、磁気ディスク装置内の磁気ディスクに記録されたデータを消去するデータ消去装置に関する。
【０００２】
【従来の技術】
特開２００１−３３１９０４号公報には、磁気ディスク装置の製造工程において不良と判定された磁気ディスク装置に使われている不良でない磁気ディスクの再利用のために磁気ディスクに書き込まれたサーボデータを消去するための装置として、ディスク装置内のスピンドルモータを駆動して磁気ディスクを回転しつつ磁気ディスクの一部をデータ消去装置の永久磁石の空隙に挿入して磁気ディスクを回転しつつ磁界を印加することによってデータを消去するデータ消去装置が開示されている。しかしながらこれは、データ消去のために磁気ディスクを露出させる工程が必要であること、故障のために磁気ディスクが回転しなくなっている場合もあること、などから、磁気ディスク装置を廃棄または再利用する際のデータ漏洩防止のためのデータ消去装置としては不向きである。
【０００３】
実用新案登録第３０８８６０８号には、ハードディスク装置全体を挿入し得る凹部を有するデータ消去装置が開示されている。磁気ディスクが金属製のケースで覆われた状態のままでデータを消去するためには一層強力な磁場が必要であるが、そのような強力な磁場の中で吸引力に抗して磁気ディスク装置を挿入／排出することは困難である。実用新案登録第３０８８６０８号のデータ消去装置においては、コイルに通電することにより発生する磁場が用いられているので挿入／排出時にはコイルに通電しないことでこの問題が解決されている。しかしながら、コイルに通電するための電源が常に必要であること、その都度電源の入／切の操作をする必要があることから、利便性の点に問題がある。
【０００４】
【特許文献１】
特開２００１−３３１９０４号公報
【特許文献２】
実用新案登録第３０８８６０８号
【特許文献３】
ＷＯ９８／４９６７４
【特許文献４】
特開２００２−２７０４２１号公報
【０００５】
【発明が解決しようとする課題】
したがって本発明の目的は、磁気ディスク装置の廃棄または再利用の際のデータ消去に適し、利便性に優れたデータ消去装置を提案することにある。
【０００６】
【課題を解決するための手段】
本発明によれば、磁気ディスク装置内の磁気ディスクに記録されたデータを消去するデータ消去装置であって、磁気ディスク装置全体を収容し得る空間を有し、該空間内に収容された磁気ディスク装置内の磁気ディスクに永久磁石による磁界を印加する磁場発生手段と、該磁場発生手段の空間内で磁気ディスク装置を磁界による吸引力に抗して挿入方向および排出方向に移動させる移動機構とを具備するデータ消去装置が提供される。
【０００７】
【発明の実施の形態】
図１は、本発明のデータ消去装置による消去の対象となる磁気ディスク装置の一例を示す分解斜視図である。図１において、磁気ディスク装置１０は、アルミニウム合金製のベース１２とカバー１４で密閉されている。ベース１２には、スピンドルモーター１６が取付けてあり、スピンドルモーター１６に磁気ディスク１８がクランプ２０を介し、ネジ２２にて固定される。なお、磁気ディスク１８の搭載枚数は磁気ディスク装置の仕様により決定され、スペーサ２４の使用枚数もそれにより決まる。
【０００８】
磁気ディスク１８は、データを記憶するためのディスク状の記憶媒体である。磁気ディスク１８には、アクチュエータ２６に取付けられたヘッド２８によりデータの読み書きが行われる。アクチュエータ２６はＶＣＭ３０により駆動される。
【０００９】
図２は、本発明のデータ消去装置における永久磁石の基本的な配置及び構造を示す図である。図２に示すように、データ消去装置４０は、永久磁石４２と４４およびヨーク４６、更に永久磁石４８と５０およびヨーク５２が筐体５４に取付けられ、トレイ５６が引出し式で筐体５４に収容される構造になっている。
【００１０】
図２中において、上側磁石部と下側磁石部の間の空隙は、磁気ディスク装置１０内の磁気ディスク１８（図１）のデータを消去する際に、磁気ディスク装置１０全体を収容し得るデータ消去領域５８を構成する。このデータ消去領域５８に、図２で示した様に磁気ディスク装置１０を挿入して、磁気ディスク１８のデータを消去する。
【００１１】
永久磁石４２は図中上面がＳ極、下面がＮ極となるように配置され、永久磁石４４は上面がＮ極、下面がＳ極となるように配置されている。つまり、永久磁石４２および永久磁石４４は、互いに吸着し合う極性となるように隣接配置されている。また、永久磁石４８は上面がＮ極、下面がＳ極となるように配置され、永久磁石５０は上面がＳ極、下面がＮ極となるように配置されている。つまり、永久磁石４８および永久磁石５０も、互いに吸着し合う極性となるように隣接配置されている。
【００１２】
永久磁石４２，４４，４８および５０は、磁場発生手段として機能する。磁場発生手段全体としてみれば、その表裏面において異なる極性同士が隣接している。
【００１３】
鉛直方向に対抗する永久磁石４２と４８は、その対抗面同士が同じ極性を示している。また、鉛直方向に対抗している永久磁石４４と５０も、その対抗面同士が同じ極性を示している。したがって、永久磁石４２と４８は互いに反発しあい、また永久磁石４４と５０も互いに反発しあう事になる。この反発により、データ消去領域５８において形成される磁場は水平方向を主とするものである。したがって、図２に示した様に磁気ディスク装置１０をデータ消去領域５８に挿入すると、当該磁場の向きは磁気ディスク１８の接線方向と一致する事になる。
【００１４】
永久磁石４２および永久磁石４４の上面には、ヨーク４６が設けられている。また、永久磁石４８および永久磁石５０の下面にはヨーク５２が設けられている。ヨーク４６およびヨーク５２の機能としては、磁束密度の向上及び外部空間への不必要な磁束の漏れを抑制することである。
【００１５】
図３は、発生磁場を模式的に示した図である。鉛直方向に対抗する様に配置された永久磁石４２と４８は互いに反発しあい、また永久磁石４４と５０も互いに反発しあう。この反発により、水平方向の磁場が形成され、この領域に磁気ディスク１８を平行して挿入すれば、記憶されたデータを効率良く消去する事が出来る。
【００１６】
磁気ディスク１８のデータの記録には、水平記録方式が採用されていることから、データを消去するためには磁気ディスク１８と平行な方向の磁場を利用する事が望ましく、また磁場の強度は磁気ディスク１８の保持力よりも大きい事が必要である。
【００１７】
永久磁石４２，４４，４８および５０としては、高保持力の磁気ディスクの消去のためには、磁束密度の高いＮｄ−Ｆｅ−Ｂ系永久磁石を用いる事が望ましい。図３においてデータ消去は、磁場発生手段による磁場が水平方向を向いている磁場領域を利用する。この磁場の領域に磁気ディスクを平行して挿入すれば、磁気ディスクに記憶されたデータを効率良く消去する事が出来る。
【００１８】
一方、永久磁石４４，５０（Ｎ極）から漏洩した磁束は、ヨーク４６，５２をそれぞれ経由して永久磁石４２，４８（Ｓ極）に戻る。これにより、磁束密度の向上及び外部空間への不必要な磁束の漏れを抑制する事が出来る。具体的なヨークの材料としては強磁性体、例えばＪＩＳ  ＳＳ４００等が望ましい。
【００１９】
この原理を利用し、磁気ディスク１８のデータ消去をするのであるが、磁気ディスク装置１０を構成している部品が磁性体であれば、磁石に吸引し、データ消去領域５８を通過させる事は難しい。
【００２０】
本発明では、この課題を解決する為に、駆動機構を備える事で磁気ディスク装置を磁石の吸引力に抗してデータ消去領域５８に通過させ、操作性を向上させる。
【００２１】
図４は、本発明の第１の実施形態に係るデータ消去装置６０の斜視図であり、図５はデータ消去装置６０のカバー６１を外した状態の図で、その内部構造を説明するための図である。
【００２２】
図５に示す様に永久磁石４２と４４及びヨーク４６が、上フレーム６２に取付けられており、永久磁石４８及び５０とヨーク５２（図５には図示せず）が下フレーム６４に取付けられている。また、上フレーム６２と下フレーム６４は、サイドフレーム６６と６８に取付けられ、これらの組立て品がベース７０上のスタンド７２に取付けられる。
【００２３】
磁石の磁束がカバー６１の外側に多大に漏れることで精密機器が正常に動作しない等の悪影響を及ぼす恐れがある。そのため、図６に示すように、フレーム６２，６６，６８の周りにシールド板７３を取り付け、外部に漏れる磁束を低減させるようにしても良い。シールド板７３の材料としては、鉄板、けい素鋼板、パーマロイ等が使用される。
【００２４】
本装置の基本的な機構としては、ハンドル７４を回す事により、ＨＤＤホルダ７６が直進し上側磁石部と下側磁石部の間の空隙を移動する。
【００２５】
図７は、データ消去装置６０の側面図であり、図８は、ＨＤＤホルダ７６がハンドル７４の回転により直動する機構部について説明するために上下フレーム６２，６４、サイドフレーム６６、スタンド７２、ガイドレール９２、および足９３を取り除いた状態を示す図である。
【００２６】
図８において、ベアリングホルダ７８と８０に支えられたボールネジ８２に、ギア８３を介してハンドル７４が取付けられている。一方、ＨＤＤホルダ７６は、サポートフレーム８４により、ボールネジ８２に連動されたボールネジナットブラケット８６に取付けられている。これにより、ハンドル７４を回転させることで、ＨＤＤホルダ７６が直動する構造になっている。尚、ＨＤＤホルダ７６には４個のエンプラベアリング８８が取付けられており、ガイドレール９０及び９２（図５）に設けられた溝の間を移動する構造になっている。
【００２７】
図９は、データ消去の対象となる磁気ディスク装置１０をデータ消去装置６０に搭載した図である。磁気ディスク装置１０をＨＤＤホルダ７６に搭載すると、強力な磁力によって引き込まれるため、それを防ぐためガイドレール９０に取付けられたストッパ９４をＨＤＤホルダ７６の溝に引っ掛け固定する。また、磁気ディスク装置１０をＨＤＤホルダ７６に搭載した後に、それを固定する為、サポートフレーム８４をＨＤＤホルダ７６に取付ける。
【００２８】
実際の作業としては、ハンドル７４を回転する事で、ＨＤＤホルダ７６が直動し、上側磁石部と下側磁石部の間のデータ消去領域５８を通過させる。
【００２９】
ＨＤＤホルダ７６は、エンプラベアリング８８（図８）がガイドフレーム９０及び９２の溝をスライドしながら移動し図１０の位置で停止する。これは、図１１に示す様に、エンプラベアリング８８とガイドフレーム９０及び９２の溝の端面が突当たった位置である。この突当たった位置で、ハンドル７４を逆回転させる事により、ＨＤＤホルダ７６が後退し、再び磁石部を通過し図９の位置に戻る。
【００３０】
尚、本説明でＨＤＤホルダ７６の移動について、ボールネジ８２を使用している例を記述したが、台形ネジについても同様の動作となる。また、他にタイミングベルト方式、ラック＆ピニオン方式、ウォームギア方式等によるＨＤＤホルダ７６の移動方式も考えられる。
【００３１】
また、本装置は可般が出来る様コンパクトであることが望ましく、図１２に示す様にハンドル７４は脱着式となっており、ハンドルナット７５により固定される構造となっている。
【００３２】
以上の様に、ＨＤＤホルダ７６に磁気ディスク装置１０を搭載し、上側磁石部と下側磁石部の間のデータ消去領域５８を通過させることで、磁気ディスク１８のデータは消去される。
【００３３】
図１３は、本発明の第２の実施形態に係るデータ消去装置１００の斜視図であり、図１４はデータ消去装置１００のカバー１０２を外した状態の図で、その内部構造を説明するための図である。
【００３４】
図４〜図１２を参照して説明したデータ消去装置６０と同一の構成要素については同一の参照番号を付してその説明を省略する。データ消去装置６０と異なる点としては、ＨＤＤホルダ７６が、モータ１０４に結合されたボールネジ１０６により、上側磁石部と下側磁石部の間の空隙を移動する。上下フレーム６２，６４とサイドフレーム６６，６８からなる組み立て品はベース７０上に直接取り付けられる。図１５に示すように、外部に漏れる磁束を低減するため、シールド板７３をフレーム６２，６６，６８の周囲に取り付けても良い。
【００３５】
図１６は、データ消去装置１００において、永久磁石４２と４４及びヨーク４６、上フレーム６２とサイドフレーム６６，６８を取り外した図であり、磁気ディスク装置１０のデータ消去の動作について説明する図である。モータ１０４のシャフト１０８とボールネジ１０６は、カップリング１０９により連結される。ボールネジ１０６には、ボールネジナットブラケット１１０が取り付けられており、ボールネジ１０６が回転することにより、ボールネジナットブラケット１１０が直動する。ボールネジナットブラケット１１０には、ＨＤＤホルダ７６が取付けられており、これによりボールネジ１０６が回転する事により、ＨＤＤホルダ７６が直動する構造となっている。従って、全体構造としてはモータ１０４のシャフト１０８が回転する事により、ＨＤＤホルダ７６が直動する機構になる。また、シャフト１１２及びシャフト１１４は、ＨＤＤホルダ７６が直進移動する際のガイドになり、振れを抑制する手段として構成される。
【００３６】
実際に、磁気ディスク装置のデータを消去するためには、まず対象となる磁気ディスク装置１０をＨＤＤホルダ７６に搭載する。尚、この図１６においては、説明のためにホルダカバー１１６（図１４）は外してある。次に、サポートプレート１１８をＨＤＤホルダ７６に取付ける。スタートボタン１２０を押す事により、制御回路１２２がモータ１０４を回転させる。この回転により、ＨＤＤホルダ７６が直動し上側磁石部と下側磁石部の間のデータ消去領域５８を通過し、図１７の位置まで移動する。
【００３７】
図１７の位置において、ＨＤＤホルダ７６に取付けたブロックパッド１２４がマイクロスイッチ１２６を踏む事でモータ１０４が逆回転し、今度はＨＤＤホルダ７６が後退する。ＨＤＤホルダ７６は、再度磁石部を通過し、図１６の位置まで戻る。図１６の位置まで戻ったＨＤＤホルダ７６はブロックパッド１２４がマイクロスイッチ１２８を踏む事で、モータ１０４の回転が停止する。
【００３８】
図１８は、モータ１０４の正転／反転の切替えやモータ１０４の停止を行うセンサ部について説明する為の図である。図の様にＨＤＤホルダ７６に取付けたブロックパッド１２４がマイクロスイッチ１２８を踏む事で、モータ１０４の回転を反転させたり、停止させたりする。尚、図１８では、マイクロスイッチを２個使っている例を示しているが、これは１個目のマイクロスイッチ１２８が作動しなかった場合を考え、２個目のマイクロスイッチ１２９を作動させる事で、確実に上記動作を行うために配置している。
【００３９】
尚、上記の説明でＨＤＤホルダ７６の移動について、ボールネジを使用している例を記述したが、台形ネジについても同様の動作となる。また、他にタイミングベルト方式やラック＆ピニオン方式等によるＨＤＤホルダ７６の移動方式も考えられる。
【００４０】
【発明の効果】
金属製のケースで覆われた状態のままで磁気ディスク上のデータを消去し得る強い磁場の吸引力に抗して磁気ディスク装置の挿入／排出が可能なデータ消去装置が提供される。
【図面の簡単な説明】
【図１】本発明のデータ消去装置による消去の対象となる磁気ディスク装置の一例を示す分解斜視図である。
【図２】本発明のデータ消去装置の基本的な構成を示す図である。
【図３】本発明のデータ消去装置において発生される磁場を模式的に示す図である。
【図４】本発明の第１の実施形態に係るデータ消去装置の斜視図である。
【図５】図４のカバー６１を取り外した状態を示す斜視図である。
【図６】シールド板７３を取り付けた例を示す図である。
【図７】図５のデータ消去装置の側面図である。
【図８】図７の上下フレーム、サイドフレームおよびガイドレールを取り除いた側面図である。
【図９】データ消去装置に磁気ディスク装置を収容した状態を示す平面図である。
【図１０】ＨＤＤホルダ７６が停止位置にある状態を示す平面図である。
【図１１】ＨＤＤホルダ７６のガイドフレーム９０，９２に沿った移動を説明する図である。
【図１２】ハンドルの脱着を説明する図である。
【図１３】本発明の第２の実施形態に係るデータ消去装置の斜視図である。
【図１４】図１３のカバー１０２を取り外した状態を示す斜視図である。
【図１５】シールド板７３を取り付けた例を示す図である。
【図１６】図１４の上フレーム６２、ヨーク４６、永久磁石４２，４４、およびサイドフレーム６６，６８を取り外した状態を示す平面図である。
【図１７】ＨＤＤホルダ７６が停止位置にある状態を示す平面図である。
【図１８】ブロックパッド１２４とマイクロスイッチ１２８，１２９の位置関係を示す斜視図である。
【図１】
2005063501.tif 000003
【図２】
2005063501.tif 000004
【図３】
2005063501.tif 000005
【図４】
2005063501.tif 000006
【図５】
2005063501.tif 000007
【図６】
2005063501.tif 000008
【図７】
2005063501.tif 000009
【図８】
2005063501.tif 000010
【図９】
2005063501.tif 000011
【図１０】
2005063501.tif 000012
【図１１】
2005063501.tif 000013
【図１２】
2005063501.tif 000014
【図１３】
2005063501.tif 000015
【図１４】
2005063501.tif 000016
【図１５】
2005063501.tif 000017
【図１６】
2005063501.tif 000018
【図１７】
2005063501.tif 000019
【図１８】
2005063501.tif 000020